(57)【特許請求の範囲】
【請求項１】
隣接する上下一対の梁及び左右一対の柱で形成された矩形空間内に矩形状の枠体を配置すると共に、該枠体内にブレースを配置し、枠体を構成する枠部材であって、下方の梁の上に設置される枠部材は、細長板部と、該細長板部の下面に垂下固設した複数本の棒状のアンカーボルトで構成し、且つ上面を平坦面とし、前記アンカーボルトを下方の梁における矩形空間の形成面に打ち込み、残る枠部材を貫通させたアンカーボルトを、上方の梁及び一対の柱における矩形空間の形成面に打ち込み、枠部材と形成面間の隙間に充填材を注入したことを特徴とする耐震補強構造。
【請求項２】
下方の梁の上に設置される枠部材を、細長板部と、該細長板部に貫設された複数個の孔に上端部を挿入し溶接一体化されたアンカーボルトで構成されていることを特徴とする請求項１記載の耐震補強構造。
【発明の詳細な説明】
【技術分野】
【０００１】
本発明は、例えばラーメン構造建築物の様な、隣接する一対の梁及び一対の柱で囲まれた矩形空間を有する建築物における耐震補強構造に関する。
【背景技術】
【０００２】
従来、かかる耐震補強構造として、本願出願人は、隣接する上下一対の梁及び左右一対の柱で形成された矩形空間内に矩形状の枠体を配置すると共に、該枠体内にブレースを配置し、枠体を構成する枠部材を貫通したアンカーボルトを、梁及び柱における矩形空間の形成面に、アンカーボルトのボルト頭を枠部材に対し離間させる様に打ち込み、枠部材と形成面間の隙間に充填材を注入し、枠部材は、細長板部と、該細長板部の両側長辺部より垂直に突設した一対の側板部を有し、細長板部及び側板部で形成された凹部内に複数枚の補強板を、両端部を上記側板部に一体化させて細長板部の長手方向に配列し、かかる凹部内に打設した定着充填材を上記補強板により複数の塊に分割した耐震補強構造を開発した（例えば、特許文献１参照）。
【０００３】
この耐震補強構造によれば、枠体及びブレースにより耐震補強することが出来、且つブレースに作用する引張・圧縮力でブレースを引張降伏又は圧縮降伏させることで、地震動として建築物に入力されたエネルギーを消費して、構造主体の損傷を可能な限り軽減させる機能を具備させることが出来、又アンカーボルトは定着充填材に、該定着充填材は枠部材に夫々一体化することで、アンカーボルトにより枠部材を形成面に締着しなくても、アンカーボルトと枠部材を一体化させることが出来、而もアンカーボルトと枠部材は非接触で地震時におけるアンカーボルトと枠部材間の滑り発生を防止出来るため、本発明に係る耐震補強構造の躯体側への一体性の向上を図ることが可能である。
【先行技術文献】
【特許文献】
【０００４】
【特許文献１】特許第３９８０９８４号公報
【発明の概要】
【発明が解決しようとする課題】
【０００５】
しかし、上記従来工法にあっては、非常に優れた耐震補強構造であるが、下方の梁の上に設置される枠部材の両側長辺部に側板部を有していることから、床に突起物が形成されてしまうため、居住者が躓く恐れがあったり、家具等の設置場所が制限されてしまい、補強構造体の両側の空間を共有するには不向きであるなど、解決せねばならない課題があった。
【課題を解決するための手段】
【０００６】
本発明は、上記従来技術に基づく、床に突起物が形成されてしまう課題に鑑み、隣接する上下一対の梁及び左右一対の柱で形成された矩形空間内に矩形状の枠体を配置すると共に、該枠体内にブレースを配置し、枠体を構成する枠部材であって、下方の梁の上に設置される枠部材は、細長板部と、該細長板部の下面に垂下固設した複数本の棒状のアンカーボルトで構成し、且つ上面を平坦面とし、前記アンカーボルトを下方の梁における矩形空間の形成面に打ち込み、残る枠部材を貫通させたアンカーボルトを、上方の梁及び一対の柱における矩形空間の形成面に打ち込み、枠部材と形成面間の隙間に充填材を注入することによって、下方の梁の上の枠部材の上面が略フラットになって、その上に構築される床に突起物が形成されない様にして、上記課題を解決する。
【発明の効果】
【０００７】
要するに本発明は、隣接する上下一対の梁及び左右一対の柱で形成された矩形空間内に矩形状の枠体を配置すると共に、該枠体内にブレースを配置したので、上記枠体及びブレースにより耐震補強することが出来、且つブレースに作用する引張・圧縮力でブレースを引張降伏又は圧縮降伏させることで、地震動として建築物に入力されたエネルギーを消費して、構造主体の損傷を可能な限り軽減させる機能を具備させることが出来る。
そして、枠体を構成する枠部材であって、下方の梁の上に設置される枠部材は、細長板部と、該細長板部の下面に垂下固設した複数本の棒状のアンカーボルトで構成し、且つ上面を平坦面とし、前記アンカーボルトを下方の梁における矩形空間の形成面に打ち込み、残る枠部材を貫通させたアンカーボルトを、上方の梁及び一対の柱における矩形空間の形成面に打ち込んでいるので、下方の梁の上の枠部材の上面を略フラットにすることが出来ることから、その上に構築される床に突起物が形成されないため、居住者が躓く危険性を排除することが出来ると共に、家具等を制限なく設置することが出来、よってこの耐震補強構造の両側の空間を１つの空間として共有する障害を無くすことが出来、施工以前の状態に近づけることが出来る。
又、枠部材と形成面間の隙間に充填材を注入したので、矩形空間内における枠体の位置決めを確実に行うことが出来る。
【０００８】
下方の梁の上に設置される枠部材を、細長板部と、該細長板部に貫設された複数個の孔に上端部を挿入し溶接一体化されたアンカーボルトで構成されているので、予め細長板部とアンカーボルトとを一体化した状態の枠部材として使用する他、施工過程で細長板部とアンカーボルトとを一体化する、例えばアンカーボルトだけを下方の梁に打ち込んだ後に細長板部をセットして溶接一体化し、アンカーボルトの突出部を切除して枠部材とすることも出来る等その実用的効果甚だ大である。
【図面の簡単な説明】
【０００９】
以下本発明の一実施例を図面に基づいて説明する。
本発明に係る耐震補強構造にあっては、図１に示す様に、隣接する上下一対の梁Ｂ１、Ｂ２及び左右一対の柱Ｃ１、Ｃ２で形成された矩形空間Ａ内に、４本の枠部材1a、1b、1c、1dからなる矩形状の枠体１を配置し、上方の梁Ｂ１及び一対の柱Ｃ１、Ｃ２に対向する枠部材1a、1b、1cを貫通した複数本の棒状のアンカーボルト２、2a…を、上方の梁Ｂ１の下面及び一対の柱Ｃ１、Ｃ２の対向内面、即ち矩形空間Ａの形成面Ｄ１、Ｄ２、Ｄ３に打ち込み、下方の梁Ｂ２に対向する枠部材1dに下方突出状態の複数本のアンカーボルト３、3a…を、下方の梁Ｂ２の上面、即ち矩形空間Ａの形成面Ｄ４に打ち込んでいる。
【発明を実施するための形態】
【００１０】
以下本発明の一実施例を図面に基づいて説明する。
本発明に係る耐震補強構造にあっては、図１に示す様に、隣接する上下一対の梁Ｂ１、Ｂ２及び左右一対の柱Ｃ１、Ｃ２で形成された矩形空間Ａ内に、４本の枠部材1a、1b、1c、1dからなる矩形状の枠体１を配置し、上方の梁Ｂ１及び一対の柱Ｃ１、Ｃ２に対向する枠部材1a、1b、1cを貫通した複数本のアンカーボルト２、2a…を、上方の梁Ｂ１の下面及び一対の柱Ｃ１、Ｃ２の対向内面、即ち矩形空間Ａの形成面Ｄ１、Ｄ２、Ｄ３に打ち込み、下方の梁Ｂ２に対向する枠部材1dに下方突出状態の複数本のアンカーボルト３、3a…を、下方の梁Ｂ２の上面、即ち矩形空間Ａの形成面Ｄ４に打ち込んでいる。
【００１１】
各枠部材1a、1b、1cには、矩形空間形成面Ｄ１、Ｄ２、Ｄ３に対向する細長板部４と、該細長板部４の両側長辺部より矩形空間Ａの内方側へ垂直に突設した一対の側板部５、5aを有している。
【００１２】
枠部材1dには、上面が平坦面で、矩形空間形成面Ｄ４に対向する細長板部６と、該細長板部６の下面より下方突出させた上記アンカーボルト３、3a…とを有している。
【００１３】
具体的には、図２に示す様に、細長板部４の下面に、長手方向に２列状態で複数本のアンカーボルト３、3a…が垂下固設されていたり、或いは図３に示す様に、細長板部４に長手方向に２列状態で複数個のテーパー状の孔９、9a…を貫設し、該孔９、9a…に同数のアンカーボルト３、3a…の上端部位を挿入し、溶接一体化し、アンカーボルト３、3a…の上端が細長板部４の上面より突出状態であれば、当該突出部位を切除して、枠部材1dの上面を平坦面としている。
【００１４】
そして、枠部材1a、1b、1c、1dと形成面Ｄ１、Ｄ２…間の隙間に、例えばモルタルの様な打設時には流動性を有するが養生硬化する性質を有する充填材Ｍを注入している。
【００１５】
枠部材1a、1b…内に２本のブレース７、7aをＶ字状に配置し、該ブレース７、7aの下端部を、下方の枠部材1dと両側方の枠部材1b、1cの交差部に、上端部を、上方の枠部材１の中央部に設けたブラケット８に夫々固設している。
【００１６】
尚、ブレース７、7aの形態はＶ字型に限定せず、図示しないが、山型タイプ、Ｘ型タイプ、マンサードタイプ等であっても良い。
【００１７】
次に本発明に係る耐震補強工法について説明する。
（１）矩形空間Ａで内下方の梁Ｂ２における形成面Ｄ４の上方に枠部材1dを配置すると共に、該枠部材1dの複数本のアンカーボルト３、3a…を、下方の梁Ｂ２の形成面Ｄ４に打ち込む。
（２）枠部材1a、1b、1cを矩形空間Ａ内に配置した後、各枠部材1a、1b、1cを貫通させたアンカーボルト２、2a…を梁Ｂ１及び柱Ｃ１、Ｃ２における形成面Ｄ１、Ｄ２、Ｄ３…に打ち込む。
（３）枠部材1a、1b、1c、1dと形成面Ｄ１、Ｄ２…の隙間に充填材Ｍを打ち込む。
（４）ブレース７、7aの上下端部を、下方の枠部材1dと両側方の枠部材1b、1cの交差部及び上方の枠部材1aの中央部に設けたブラケット８に固設する。
【００１８】
又、図３に示す枠部材1dの場合、上記（１）工程を、矩形空間Ａで内下方の梁Ｂ２における形成面Ｄ４の所定箇所に複数本のアンカーボルト３、3a…を打ち込み、細長板部４を、孔９、9a…にアンカーボルト３、3a…の上端部位を挿通させる様にして、形成面Ｄ４の上方に隙間をあけて配置し、細長板部４とアンカーボルト３、3a…を溶接一体化した後、アンカーボルト３、3a…の細長板部４からの突出部位を切除する様にすることも可能である。
【００１９】
次に本発明に係る耐震補強構造の作用について説明する。
地震等によって建物が揺れると、一対のブレース７、7aにより矩形空間Ａの形状を維持して建物の耐震性能を向上させるが、許容震度以上の地震が発生すると、一対のブレース７、7aにおける一方に引張力、他方に圧縮力が作用してそのブレース７、7aが引張降伏又は圧縮降伏して建物の揺れを制御する様にしている。
【符号の説明】
【００２０】
１              枠体
1a、1b、1c、1d  枠部材
２、2a…        アンカーボルト
３、3a…        アンカーボルト
６              細長板部
７、7a          ブレース
９、9a…        孔
Ａ              矩形空間
Ｂ１、Ｂ２      梁
Ｃ１、Ｃ２      柱
Ｄ１、Ｄ２…    形成面
Ｍ              充填材
【図１】
0005826704.tif 000002
【図２】
0005826704.tif 000003
【図３】
0005826704.tif 000004